(57)【要約】【課題】ヒップフラップ部の固定状態を改善した吸収性物品を提供する。【解決手段】吸収性物品１は、吸収体４を備える本体部Ｍと、排泄口当接領域の中心Ｃを含む中央領域ＣＡよりも後方において、本体部Ｍの幅方向外縁から幅方向外側に突出するヒップフラップ部ＨＦと、を備える。吸収性物品１の外縁の少なくとも一部は、厚み方向に圧搾されたシール部１０を有する。ヒップフラップ部ＨＦは、非肌当接面側にヒップフラップ部ずれ止め材８を備える。ヒップフラップ部ＨＦは、第１くびれ部３１と、第１くびれ部３１よりも後方に位置する第１フラップ部４１と、第１くびれ部３１よりも前方に位置する第２フラップ部４２と、を備える。第２フラップ部５２の外縁には、シール部１０が配置され、ヒップフラップ部ずれ止め材８は、第１フラップ部４１の非肌当接面側に配置される。【選択図】図２
2014036832.tif 000002
【特許請求の範囲】
【請求項１】
前後方向と、前後方向に直交する幅方向と、を有する吸収性物品において、
吸収体を備える本体部と、
着用者の排泄口に対向して配置される排泄口当接領域の中心を含む中央領域よりも後方において、前記本体部の幅方向外縁から幅方向外側に突出するヒップフラップ部と、を備え、
前記吸収性物品の外縁の少なくとも一部は、前記吸収性物品の外縁が厚み方向に圧搾された外縁圧搾部を有し、
前記ヒップフラップ部は、非肌当接面側にサイド粘着部を備え、
前記ヒップフラップ部は、
第１くびれ部と、
前記第１くびれ部よりも後方に位置し、前記第１くびれ部よりも幅方向外側に突出すると共に、前記ヒップフラップ部の幅が最大となる部分を含む第１フラップ部と、
前記第１くびれ部よりも前方に位置し、前記第１くびれ部よりも幅方向外側に突出する第２フラップ部と、を備え、
前記第２フラップ部の外縁には、前記外縁圧搾部が配置され、
前記サイド粘着部は、前記第１フラップ部の非肌当接面側に配置される、吸収性物品。
【請求項２】
前記第１フラップ部の外縁には、前記外縁圧搾部が配置され、
前記サイド粘着部は、前記第１フラップ部における前記外縁圧搾部の幅方向内縁よりも幅方向内側に位置すると共に、前記第１くびれ部よりも幅方向内側に位置する、請求項１に記載の吸収性物品。
【請求項３】
前記第１フラップ部における前記外縁圧搾部の幅方向内縁から幅方向外縁までの長さは、前記第１フラップ部における前記外縁圧搾部の幅方向内縁から前記サイド粘着部の幅方向外側端部までの長さよりも短い、請求項２に記載の吸収性物品。
【請求項４】
前記ヒップフラップ部は、
前記第２フラップ部よりも前方に位置する第２くびれ部を備え、
前記第２くびれ部は、前記第１くびれ部よりも、幅方向内側に位置する、請求項１乃至３のいずれか１項に記載の吸収性物品。
【請求項５】
前記第１フラップ部における前記外縁圧搾部は、前記第１くびれ部よりも後方に位置し、前記第２フラップ部における前記外縁圧搾部は、前記第１くびれ部よりも前方に位置する、請求項２乃至４のいずれか１項に記載の吸収性物品。
【請求項６】
前記第２フラップ部における前記外縁圧搾部は、前記第１くびれ部と前記第２くびれ部とを通る直線よりも、幅方向外側に位置する、請求項４又は５に記載の吸収性物品。
【請求項７】
前記ヒップフラップ部は、肌当接面側に配置されたサイドシートと、非肌当接面側に配置されたバックシートと、前記サイドシートと前記バックシートとの間に配置された中間層と、を備え、
前記中間層は、前記ヒップフラップ部に配置された前記外縁圧搾部よりも、幅方向内側に位置する、請求項５又は６に記載の吸収性物品。
【請求項８】
前記ヒップフラップ部は、前記第１フラップ部よりも後方に後方くびれ部を備える、請求項１乃至７のいずれか１項に記載の吸収性物品。
【請求項９】
前記本体部は、非肌当接面側に本体粘着部を備え、
前記本体部は、その後端部の少なくとも一部に前記外縁圧搾部が配置され、
前記本体部の後端部に配置された前記外縁圧搾部の幅方向外側端部と、前記ヒップフラップ部における前記外縁圧搾部の後端部との間は、前記外縁圧搾部が配置されない非圧搾部であり、
前記サイド粘着部及び前記本体粘着部は、前記非圧搾部から少なくとも前記中央領域の後端部まで前後方向に延びる領域よりも幅方向外側及び内側にそれぞれ配置される、請求項１乃至８のいずれか１項に記載の吸収性物品。
【請求項１０】
前記中間層の幅方向内縁に沿って前後方向に延びる直線は、前記非圧搾部の幅方向外側端部を通り、前記吸収体の幅方向外縁に沿って前後方向に延びる直線は、前記非圧搾部の幅方向外側端部を通る、請求項９に記載の吸収性物品。
【請求項１１】
前記ヒップフラップ部は、厚み方向に圧搾されたサイド圧搾部を有し、
前記サイド圧搾部は、後方に向かうにつれて幅方向内側から幅方向外側に延び、
前記サイド粘着部は、前記サイド圧搾部よりも後方に位置する、請求項１乃至１０のいずれか１項に記載の吸収性物品。
【請求項１２】
前記サイド圧搾部は、前記厚み方向に圧搾された複数の圧搾部によって構成されており、
前記複数の圧搾部は、間隔を空けて配置されている、請求項１乃至１１のいずれか１項に記載の吸収性物品。
【請求項１３】
前記外縁圧搾部は、前記厚み方向に圧搾された複数の圧搾部によって構成されており、
前記外縁圧搾部を構成する複数の圧搾部は、間隔を空けて配置されており、
前記サイド圧搾部を構成する圧搾部の外形と、前記外縁圧搾部を構成する圧搾部の外形とは、異なる、請求項１２に記載の吸収性物品。
【請求項１４】
前記サイド圧搾部を構成する圧搾部の間隔は、前記外縁圧搾部を構成する圧搾部の間隔よりも大きい、請求項１３に記載の吸収性物品。
【発明の詳細な説明】
【技術分野】
【０００１】
本発明は、吸収性物品に関し、特に、ヒップフラップ部を備えた吸収性物品に関する。
【背景技術】
【０００２】
一般に、生理用ナプキン等の吸収性物品は、液透過性の表面層と、液不透過性の裏面層と、これらの間に配置される吸収体とを備えることにより、経血等の体液を吸収及び保持する。また、吸収性物品の周囲に経血等の体液が漏れ出し、着用者の着衣に付着することを防止するために、吸収体を備える本体部から幅方向外側に延出するサイドフラップ部を設けた吸収性物品が知られている。
【０００３】
吸収性物品のサイドフラップ部は、着用者の下着の非肌当接面側に折り返されて固定されるウイング部と、ウイング部よりも後方に配置され、着用者の下着の肌当接面に固定されるヒップフラップ部とを含む。ウイング部及びヒップフラップ部は、それぞれの裏面に配置された粘着部を介して、着用者の下着に固定される。
【０００４】
サイドフラップ部は、吸収体を備える本体部よりも剛性が低いため、特に、使用中に着用者の肌と接するヒップフラップ部はよれやすく、また、外縁が捲れやすい。ヒップフラップ部のよれ又は捲れが、裏面に粘着部が配置された部分に及ぶと、粘着部が着用者の下着から剥がれることがある。その結果、サイドフラップ部の下着に対する固定が不十分となり、経血等の体液が漏れて、着用者の下着に付着するおそれがある。
【０００５】
特許文献１には、ヒップフラップ部の外縁に、前後方向に延びる直線部分を設けた生理用ナプキンが開示されている。ヒップフラップ部の幅が最大となる部分の外縁を直線形状とすることにより、ヒップフラップ部の外側端部に矩形の粘着部を配置すると共に、粘着部の面積を大きく確保し、ヒップフラップ部の固定状態を改善している。
【先行技術文献】
【特許文献】
【０００６】
【特許文献１】特開２００９−１１８８７７号公報
【発明の概要】
【発明が解決しようとする課題】
【０００７】
ところで、吸収性物品の着用者が脚を閉じると、ウイング部の幅方向外側から内側に向かって力がかかる。このとき、ウイング部から後方に向かって力がかかり、ウイング部より後方に位置するヒップフラップ部に力がかかる。特許文献１に記載された生理用ナプキンは、使用中にかかる力を考慮して粘着部の位置を定めたものではなく、ウイング部から力が伝わることによってヒップフラップ部全域によれが広がり、粘着部が剥がれるおそれがある。
【０００８】
本発明は、上述の課題に鑑みてなされたものであり、ヒップフラップ部の固定状態を改善した吸収性物品の提供を目的とする。
【課題を解決するための手段】
【０００９】
上述した課題を解決するため、本発明は、以下の特徴を有する。本発明の第１の特徴は、前後方向（前後方向Ｌ）と、前後方向に直交する幅方向（幅方向Ｗ）と、を有する吸収性物品（吸収性物品１）において、吸収体（吸収体４）を備える本体部（本体部Ｍ）と、着用者の排泄口に対向して配置される排泄口当接領域（排泄口当接領域Ｃ）の中心を含む中央領域（中央領域ＣＡ）よりも後方において、前記本体部の幅方向外縁から幅方向外側に突出するヒップフラップ部（ヒップフラップ部ＨＦ）と、を備え、前記吸収性物品の外縁の少なくとも一部は、前記吸収性物品の外縁が厚み方向に圧搾された外縁圧搾部（シール部１０）を有し、前記ヒップフラップ部は、非肌当接面側にサイド粘着部（ヒップフラップ部ずれ止め材８）を備え、前記ヒップフラップ部は、第１くびれ部（第１くびれ部３１）と、前記第１くびれ部よりも後方に位置し、前記第１くびれ部よりも幅方向外側に突出すると共に、前記ヒップフラップ部の幅が最大となる部分を含む第１フラップ部（第１フラップ部４１）と、前記第１くびれ部よりも前方に位置し、前記第１くびれ部よりも幅方向外側に突出する第２フラップ部（第２フラップ部４２）と、を備え、前記第２フラップ部の外縁には、前記外縁圧搾部が配置され、前記サイド粘着部は、前記第１フラップ部の非肌当接面側に配置されることを要旨とする。
【００１０】
かかる特徴によれば、ヒップフラップ部の中で最も幅方向外側に突出した第１フラップ部より前方に第１くびれ部が位置し、第１くびれ部の前方に第２フラップ部が位置する。吸収性物品の着用者が脚を閉じると、中央領域の幅方向外側から内側に向かって力がかかり、その力が後方に伝達される。ヒップフラップ部に伝達された力は、第２フラップ部を変形させるが、第１くびれ部によって吸収され、第１くびれ部よりも後方の第１フラップ部にかかる力が軽減される。
【００１１】
また、第２フラップ部の外縁には外縁圧搾部が配置される。外縁圧搾部は剛性が高められ、外縁圧搾部の内縁において周辺部分と剛性が変化する。そのため、第２フラップ部が前方からの力、すなわち、第２フラップ部を変形させようとする力を受けても、剛性の変化する外縁圧搾部の内縁を起点として外縁が内側に折れ返るため、外縁圧搾部の内縁よりも幅方向内側の領域には、よれが生じにくい。さらに、第２フラップ部の後方には第１くびれ部が位置するため、第１くびれ部より後方の第１フラップ部は、第２フラップ部におけるよれ又は捲れの影響を受けにくい。その結果、第１フラップ部に配置されたサイド粘着部による下着への固定状態が維持される。
【００１２】
また、本発明の第２の特徴は、前記第１フラップ部の外縁には、前記外縁圧搾部が配置され、前記サイド粘着部は、前記第１フラップ部における前記外縁圧搾部の幅方向内縁よりも幅方向内側に位置すると共に、前記第１くびれ部よりも幅方向内側に位置することを要旨とする。
【００１３】
かかる特徴によれば、第１フラップ部にも外縁圧搾部が配置されるため、第１フラップ部の外縁が捲れたとしても、外縁圧搾部の内縁を起点として折れ返りやすい。第１フラップ部に前方からの力がかかる場合、前方に位置する第１くびれ部を起点として、外縁圧搾部の内縁に沿うように折れ返りやすい。そこで、第１フラップ部における外縁圧搾部の幅方向内縁よりも幅方向内側、かつ第１くびれ部よりも幅方向内側に位置するサイド粘着部には、外縁の捲れが影響しにくい。
【００１４】
また、本発明の第３の特徴は、前記第１フラップ部における前記外縁圧搾部の幅方向内縁から幅方向外縁までの長さ（幅ｗ）は、前記第１フラップ部における前記外縁圧搾部の幅方向内縁から前記サイド粘着部の幅方向外側端部までの長さ（距離ａ）よりも短いことを要旨とする。
【００１５】
かかる特徴によれば、第１フラップ部において、外縁圧搾部の内縁を起点として外縁が非肌当接面側に折れ返る場合であっても、外縁圧搾部の幅はサイド粘着部から外縁圧搾部までの距離よりも小さいため、外縁の捲れた部分がサイド粘着部に到達せず、サイド粘着部が捲れない。
【００１６】
また、本発明の第４の特徴は、前記ヒップフラップ部は、前記第２フラップ部よりも前方に位置する第２くびれ部（第２くびれ部３２）を備え、前記第２くびれ部は、前記第１くびれ部よりも幅方向内側に位置することを要旨とする。
【００１７】
かかる特徴によれば、第２フラップ部の前方に第２くびれ部が位置することから、第２フラップ部の外縁が捲れる場合、第１くびれ部と第２くびれ部を結んだ直線に沿って折れ返りやすく、それよりも内側の領域が捲れることを防止する。
【００１８】
また、本発明の第５の特徴は、前記第１フラップ部における前記外縁圧搾部は、前記第１くびれ部よりも後方に位置し、前記第２フラップ部における前記外縁圧搾部は、前記第１くびれ部よりも前方に位置することを要旨とする。
【００１９】
かかる特徴によれば、第１くびれ部には外縁圧搾部が配置されていない。そのため、第１くびれ部は、第１フラップ部及び第２フラップ部の外縁圧搾部よりも剛性が低く、よれ又は捲れが生じる起点となりやすい。中央領域からの力がかかった場合に、第１くびれ部を起点としてよれ又は捲れが生じさせることで、それよりもさらに幅方向内側及び後方の領域によれが生じることを防止する。
【００２０】
また、本発明の第６の特徴は、前記第２フラップ部における前記外縁圧搾部は、前記第１くびれ部と前記第２くびれ部とを通る直線（仮想線ＶＬ）よりも、幅方向外側に位置することを要旨とする。
【００２１】
かかる特徴によれば、第１くびれ部及び第２くびれ部は、外縁圧搾部が配置されていないため、第２フラップ部の外縁圧搾部よりも剛性が低い。そのため、第２フラップ部の外縁は、第１くびれ部及び第２くびれ部を通る直線上で折れ返りやすい。中央領域からの力がかかった場合に、第２フラップ部の外縁を第１くびれ部及び第２くびれ部を通る直線上で折れ返らせることで、それよりもさらに内側及び後方の領域によれが生じることを防止する。
【００２２】
また、本発明の第７の特徴は、前記ヒップフラップ部は、肌当接面側に配置されたサイドシート（サイドシート１１）と、非肌当接面側に配置されたバックシート（バックシート３）と、前記サイドシートと前記バックシートとの間に配置された中間層（中間層１２）と、を備え、前記中間層は、前記ヒップフラップ部に配置された前記外縁圧搾部よりも、幅方向内側に位置することを要旨とする。
【００２３】
かかる特徴によれば、中間層の配置された領域は剛性が高められるため、中間層の配置された領域と外縁圧搾部との間で剛性が変化し、折れ返りの起点となりやすい。中間層の配置された領域と外縁圧搾部との間で折れ返らせることで、それよりもさらに内側の領域によれが生じることを防止する。
【００２４】
また、本発明の第８の特徴は、前記ヒップフラップ部は、前記第１フラップ部よりも後方に後方くびれ部（後方くびれ部３３）を備えることを要旨とする。
【００２５】
かかる特徴によれば、第１フラップ部は、幅が最大となる部分から後方くびれ部に向かうにつれて幅が小さくなる。中央領域よりも後方の領域が長い吸収性物品は、使用時に後端部が幅方向に振れるため、ヒップフラップ部の後端部が捲れやすい。そこで、第１フラップ部の後方に後方くびれ部を配置し、後端部からの捲れを後方くびれ部で止めることにより、第１フラップ部が捲れることを防止する。
【００２６】
また、本発明の第９の特徴は、前記本体部は、非肌当接面側に本体粘着部（本体部ずれ止め材６）を備え、前記本体部は、その後端部の少なくとも一部に前記外縁圧搾部が配置され、前記本体部の後端部に配置された前記外縁圧搾部の幅方向外側端部と、前記ヒップフラップ部における前記外縁圧搾部の後端部との間は、前記外縁圧搾部が配置されない非圧搾部（非圧搾部Ｘ）であり、前記サイド粘着部及び前記本体粘着部は、前記非圧搾部から少なくとも前記中央領域の後端部まで前後方向に延びる領域よりも幅方向外側及び内側にそれぞれ配置されることを要旨とする。
【００２７】
かかる特徴によれば、非圧搾部は、隣接する外縁圧搾部よりも剛性が低い。吸収性物品の使用時、後端部が幅方向に振れて、ヒップフラップ部を変形させようとする力が加わった場合に、非圧搾部がよれの生じる起点となりやすい。また、非圧搾部から前方に延びる領域は、本体粘着部もサイド粘着部も配置されていないため、非圧搾部を起点として生じたよれが延びやすい。その結果、他の領域によれが生じることを防止することができる。
【００２８】
また、本発明の第１０の特徴は、前記中間層の幅方向内縁に沿って前後方向に延びる直線は、前記非圧搾部の幅方向外側端部を通り、前記吸収体の幅方向外縁に沿って前後方向に延びる直線は、前記非圧搾部の幅方向外側端部を通ることを要旨とする。
【００２９】
かかる特徴によれば、非圧搾部から前方に延びる、よれの生じやすい領域と、吸収体も中間層も配置されておらず、剛性の低い領域とが一致する。そのため、この領域は、吸収性物品の後端部が幅方向に振れた場合にかかる力を吸収し、第１フラップ部への影響を抑えることができる。
【００３０】
また、本発明の第１１の特徴は、前記ヒップフラップ部は、厚み方向に圧搾されたサイド圧搾部（第２のエンボス線２２）を有し、前記サイド圧搾部は、後方に向かうにつれて幅方向内側から幅方向外側に延び、前記サイド粘着部は、前記サイド圧搾部よりも後方に位置することを要旨とする。
【００３１】
かかる特徴によれば、中央領域からの力がかかった場合に、ヒップフラップ部をサイド圧搾部に沿って折れ返らせることで、サイド圧搾部よりも後方の領域によれが生じることを防止する。その結果、サイド圧搾部よりも後方に位置するサイド粘着部による下着への固定状態が維持される。
【００３２】
また、本発明の第１２の特徴は、前記サイド圧搾部は、前記厚み方向に圧搾された複数の圧搾部によって構成されており、前記複数の圧搾部は、間隔を空けて配置されていることを要旨とする。
【００３３】
また、本発明の第１３の特徴は、前記外縁圧搾部は、前記厚み方向に圧搾された複数の圧搾部によって構成されており、前記外縁圧搾部を構成する複数の圧搾部は、間隔を空けて配置されており、前記サイド圧搾部を構成する圧搾部の外形と、前記外縁圧搾部を構成する圧搾部の外形とは、異なることを要旨とする。
【００３４】
また、本発明の第１４の特徴は、前記サイド圧搾部を構成する圧搾部の間隔は、前記外縁圧搾部を構成する圧搾部の間隔よりも大きいことを要旨とする。
【発明の効果】
【００３５】
本発明によれば、ヒップフラップ部の固定状態を改善した吸収性物品を提供することができる。
【図面の簡単な説明】
【００３６】
【図１】図１は、本発明の実施形態に係る吸収性物品の表面側から見た平面図である。
【図２】図２は、図１に示す吸収性物品の背面図である。
【図３】図３は、図２に示すヒップフラップ部の拡大図である。
【図４】図４は、図１に示すＸ−Ｘ’断面の模式断面図である。
【図５】図５は、図１に示す吸収性物品が使用時に変形した状態を示す模式図である。
【図６】図６は、本発明の変形例１に係る吸収性物品の表面側から見た平面図である。
【図７】図７は、本発明の変形例２に係る吸収性物品の一部の表面側から見た平面図である。
【発明を実施するための形態】
【００３７】
（全体構成）
次に、本発明に係る吸収性物品の実施形態の全体構成について、図面を参照しながら説明する。図１から図４は、本発明の実施形態に係る吸収性物品１を示す。図１は、吸収性物品の平面図であり、図２は、吸収性物品の背面図である。図３は、図２に示すヒップフラップ部の拡大図である。図４は、図１に示すＸ−Ｘ’断面の模式断面図である。本実施形態に係る吸収性物品１は、例えば、生理用ナプキンである。
【００３８】
吸収性物品１は、前後方向Ｌに延びる本体部Ｍと、本体部Ｍから幅方向Ｗ外側に突出するサイドフラップ部ＳＦとを備える。本体部Ｍは、着用者の肌に当接する液透過性のトップシート２と、着用者の下着と接触する液不透過性のバックシート３と、トップシート２及びバックシート３の間に配置された吸収体４と、を備える。吸収体４は、平面視にて、本体部Ｍの前後方向Ｌ及び幅方向Ｗにおける中央部分に配置される。図３に、吸収体４の外縁Ｂ４を破線で示す。本体部Ｍは、非肌当接面側すなわちバックシート３側に、本体部ずれ止め材６を備える。
【００３９】
サイドフラップ部ＳＦは、着用者の排泄口が当接する排泄口当接領域の中心Ｃを含む中央領域ＣＡの幅方向外側に配置されるウイング部ＷＧと、ウイング部ＷＧの後端部よりも後方に位置するヒップフラップ部ＨＦと、を備える。サイドフラップ部ＳＦは、トップシート２の幅方向Ｗ外側に延びるサイドシート１１と、本体部Ｍから幅方向Ｗ外側に延びるバックシート３と、を含む。サイドシート１１は、幅方向Ｗ内側端部においてトップシート２と重なり、ホットメルト接着剤等によって接合される。
【００４０】
ここで、排泄口当接領域の中心Ｃは、着用者の排泄口が当接する中央領域ＣＡの前後方向及び幅方向の中心と一致する。例えば、ウイング部を有する吸収性物品においては、ウイング部の前後方向の中心が、中央領域の前後方向の中心となる。また、ウイング部を有しない吸収性物品においては、吸収体の幅方向の長さ寸法が最も短い位置が、中央領域の前後方向の中心となる。なお、排泄口当接領域Ｃは、着用者の股間部と当接する領域に含まれており、着用者の両脚の間に位置する。
【００４１】
ウイング部ＷＧは、着用者の下着の非肌当接面側に折り返されるように構成されている。ヒップフラップ部ＨＦは、着用者の下着の肌当接面側に固定されるように構成されている。ウイング部ＷＧ及びヒップフラップ部ＨＦは、非肌当接面側にそれぞれウイング部ずれ止め材７及びヒップフラップ部ずれ止め材８を備える。ヒップフラップ部ＨＦの詳細な構成については、後述する。
【００４２】
吸収性物品１では、トップシート２、サイドシート１１及びバックシート３の外縁が接合されて、吸収体４が内封される。接合方法としては、超音波、ホットメルト接着剤等がある。吸収性物品１の外縁の少なくとも一部には、エンボス加工を施すことによって外縁圧搾部としてのシール部１０が形成されている。トップシート２及びサイドシート１１とバックシート３とは、エンボス加工によって厚み方向に圧搾される。エンボス加工には、ヒートエンボス加工、超音波エンボス加工等の手法があり、ここでは任意の手法を用いることができる。吸収性物品１の外縁を接着剤等で接合することに加えて、少なくとも一部にシール部１０を形成することにより、使用時に外縁の接合が弱まり、各シートがばらばらになることを防止する。図３に示すヒップフラップ部ＨＦの拡大図において、シール部１０は、ドット状の圧搾部の集合体として示されている。
【００４３】
ここで、吸収性物品１の外縁とは、吸収性物品１の前後方向Ｌ及び幅方向Ｗにおける最も外側から、一定の距離にわたる領域を意味する。シール部１０が形成される部分においては、吸収性物品１の最も外側からシール部１０の内縁までの最短距離である幅ｗを、吸収性物品１の外縁とする。
【００４４】
吸収性物品１には、トップシート２及び吸収体４を厚み方向に圧縮した圧搾溝５が形成されている。なお、圧搾溝は、少なくともトップシート２及び吸収体４を厚み方向に圧搾することによって形成されていればよく、種々の構成を採用することができる。例えば、プレス加工やエンボス加工によって形成することができ、その形状は、格子網やハニカム形状であってもよい。
【００４５】
（トップシート及びバックシートの構成）
トップシート２は、体液等の液体を透過する液透過性のシートである。トップシート２は、少なくとも吸収体４の表面を覆う。トップシート２は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００４６】
バックシート３は、着用時の違和感を生じさせない程度の柔軟性を有する材料とすることが好ましい。バックシート３は、不透液性且つ透湿性であることが望ましく、好ましくはポリエチレン主体のフィルムであるが、炭酸カルシウム、硫酸バリウムを含んだ通気フィルムを使用することもできる。
【００４７】
バックシート３の下着と接触する表面には、ホットメルト接着剤が塗布された複数の接着部が設けられている。接着部は、本体部Ｍの裏面側に設けられ、下着のクロッチ部に吸収性物品１を固定するための本体部ずれ止め材６と、ウイング部ＷＧの裏面側に設けられ、クロッチ部を巻き込んでウイング部ＷＧを固定するためのウイング部ずれ止め材９と、ヒップフラップ部ＨＦの裏面側に設けられ、下着の後身頃に対してヒップフラップ部ＨＦを開いた状態で固定するためのヒップフラップ部ずれ止め材８と、を有する。
【００４８】
使用前の状態では、本体部ずれ止め材６は、剥離テープ７に接しており、ヒップフラップ部ずれ止め材８及びウイング部ずれ止め材９は、図示しない剥離テープに接している。剥離テープは、使用前に接着剤が劣化するのを防止している。そして、使用時に着用者によって剥離テープが剥離される。
【００４９】
なお、剥離テープを有しない吸収性物品においては、吸収性物品を個別に包装する包装シートによって使用前に接着剤が劣化するのを防止するように構成されていてもよい。接着剤と包装シートが接する場合には、包装シートの表面には、接着剤の接着力を低下させることなく接着剤を剥離可能にする処理を施すことが望ましい。
【００５０】
（吸収体の構成）
吸収体４は、親水性繊維、パルプを含む。吸収体４は、経血などの体液を吸収可能な材料によって形成される。吸収体４は、親水性繊維又は粉体をエアレイド法によって積層して形成されてもよいし、親水性繊維又は粉体をエアレイド法によってシート状に成形したエアレイドシートでもよいし、ティッシュ（例えば、目付１５ｇ／ｍ２）上に高吸収ポリマーを混入した粉砕パルプを配置し、ティッシュで包むことによって形成されていてもよい。
【００５１】
吸収体４は、綿状パルプや合成パルプ等を坪量１００〜３００ｇ／ｍ２程度に積層したパルプを保護紙（図示せず）で包むことによって構成されている。なお、吸収体４は、全面ほぼ均一な厚みであってもよいし、非均一な厚みであってもよい。保護紙は、パルプの形状を保持するためのものであり、例えばクレープ紙やティッシュペーパーなどを用いることができる。
【００５２】
吸収体４は、前後方向Ｌに延び、少なくとも排泄口当接領域の中心Ｃを含むように設けられる。吸収体４の大きさは、バックシート３よりも略一回り程度小さい。吸収体４の幅方向Ｗの長さは、成人女性の股間隔に対応しており、概ね５０〜８０ｍｍである。吸収体４は、ホットメルトなどの接着剤によってバックシート３に接着される。また、本実施形態では、吸収体４とトップシート２とは、ホットメルト接着剤によって接着されている。
【００５３】
（サイドシートの構成）
サイドシート１１は、トップシート２の幅方向Ｗ外側端から幅方向Ｗ外側に延びる。サイドシート１１は、トップシート２と同様に、吸収体４よりも肌当接面側に配置される。サイドシート１１は、トップシート２と同様の材料から選ぶことができる。但し、サイドシート１１を乗り越えて吸収性物品１外方へ経血が流れることを防止するために、サイドシート１１は疎水性又は撥水性を有することが好ましい。サイドシート１１は、本体部Ｍの幅方向Ｗ両側縁部、ウイング部ＷＧ、及びヒップフラップ部ＨＦを覆う。
【００５４】
（ヒップフラップ部の構成）
ヒップフラップ部ＨＦは、ヒップフラップ部ＨＦの幅がその前後の領域の幅よりも小さい第１くびれ部３１と、第１くびれ部３１よりも後方に位置し、第１くびれ部３１よりも幅方向外側に突出すると共に、ヒップフラップ部ＨＦの幅が最大となる部分を含む第１フラップ部４１と、第１くびれ部よりも前方に位置し、第１くびれ部よりも幅方向外側に突出する第２フラップ部４２と、を備える。第２フラップ部４２の外縁には、シール部１０が配置され、ヒップフラップ部ずれ止め材８は、第１フラップ部４１の非肌当接面側、すなわちバックシート３側に配置される。
【００５５】
つまり、吸収性物品１においては、ヒップフラップ部ＨＦの中で最も幅方向外側に突出した第１フラップ部４１より前方に第１くびれ部３１が位置し、第１くびれ部３１の前方に第２フラップ部４１が位置する。吸収性物品１の着用者が脚を閉じると、中央領域ＣＡの幅方向外側から内側に向かって力がかかり、その力が後方に伝達される。ヒップフラップ部ＨＦに伝達された力は、第２フラップ部４２を変形させるが、第１くびれ部３１で吸収される。そのため、第１フラップ部４１にかかる力が軽減される。
【００５６】
また、第２フラップ部４２の外縁にはシール部１０が配置される。シール部１０は剛性が高められ、シール部１０の内縁において周辺部分と剛性が変化する。そのため、第２フラップ部４２が前方からの力、すなわち、第２フラップ部４２を変形させようとする力を受けても、剛性の変化するシール部１０の内縁を起点として外縁が内側に折れ返るため、第２フラップ部４２の全域にはよれが生じにくい。さらに、第２フラップ部４２の後方には第１くびれ部３１が位置するため、第１くびれ部３１より後方の第１フラップ部４１は、第２フラップ部４２におけるよれ又は捲れの影響を受けにくい。その結果、第１フラップ部４１に配置されたヒップフラップ部ずれ止め材８による下着への固定状態が維持される。なお、図５に、吸収性物品１が使用時に変形した状態を示す。
【００５７】
また、第１フラップ部４１の外縁には、シール部１０が配置され、ヒップフラップ部ずれ止め材８は、第１くびれ部３１よりも幅方向内側に位置する。
【００５８】
つまり、第１フラップ部４１にもシール部１０が配置されるため、第１フラップ部４１の外縁が捲れたとしても、シール部１０の内縁を起点として折れ返りやすい。第１フラップ部４１に前方からの力がかかる場合、前方に位置する第１くびれ部３１を起点として、シール部１０の内縁に沿うように折れ返りやすい。そこで、第１くびれ部３１よりも幅方向内側に位置するヒップフラップ部ずれ止め材８には、外縁の捲れが影響しにくい。
【００５９】
また、ヒップフラップ部ずれ止め材８は、第１フラップ部４１におけるシール部１０の幅方向内縁よりも幅方向内側に位置する。ここで、第１フラップ部４１におけるシール部１０の幅方向内縁から幅方向外縁までの幅ｗは、第１フラップ部４１におけるシール部１０の幅方向内縁からヒップフラップ部ずれ止め材８の幅方向外側端部までの距離ａよりも短い。
【００６０】
つまり、第１フラップ部４１において、シール部１０の内縁を起点として外縁が非肌当接面側に折れ返る場合であっても、シール部１０の幅ｗは、ヒップフラップ部ずれ止め材８からシール部１０までの距離ａよりも小さいため、外縁の捲れた部分がシール部１０に到達せず、シール部１０が捲れない。
【００６１】
また、ヒップフラップ部ＨＦは、第２フラップ部４２よりも前方に位置し、ヒップフラップ部ＨＦの幅がその前後の領域の幅よりも小さい第２くびれ部３２を備える。第２くびれ部４２は、第１くびれ部３１よりも幅方向内側に位置する。
【００６２】
つまり、第２フラップ部４２の前方に第２くびれ部３２が位置することから、第２フラップ部４２の外縁が捲れる場合、第１くびれ部３１と第２くびれ部３２を結んだ直線に沿って折れ返りやすく、それよりも内側の領域が捲れることを防止する。
【００６３】
また、第１フラップ部４１におけるシール部１０は、第１くびれ部３１よりも後方に位置し、第２フラップ部４２におけるシール部１０は、第１くびれ部３１よりも前方に位置する。
【００６４】
つまり、第１くびれ部３１における最も内側の点は、第１フラップ部４１及び第２フラップ部４２のシール部１０よりも剛性が低く、よれ又は捲れが生じる起点となりやすい。中央領域ＣＡからの力がかかった場合に、第１くびれ部３１を起点としてよれ又は捲れが生じさせることで、それよりもさらに内側及び後方の領域によれが生じることを防止する。
【００６５】
また、第２フラップ部４２におけるシール部１０は、第１くびれ部３１と第２くびれ部３２とを通る直線よりも、幅方向外側に位置する。
【００６６】
つまり、第１くびれ部３１及び第２くびれ部３２は、第２フラップ部４２のシール部１０よりも剛性が低い。そのため、図３に示すように、第２フラップ部４２の外縁は、この２点を通る仮想線ＶＬ上で折れ返りやすい。中央領域ＣＡからの力がかかった場合に、第２フラップ部４２の外縁を仮想線ＶＬ上で折れ返らせることで、それよりもさらに内側及び後方の領域によれが生じることを防止する。
【００６７】
好ましくは、ヒップフラップ部ＨＦは、サイドシート１１とバックシート３との間に配置された中間層１２を備える。中間層１２は、サイドシート１１とホットメルト接着剤によって接合される。中間層１２には、柔軟性及びコストの観点から、ポリプロピレン繊維を主体とするＳＢ（スパンボンド）不織布又はＳＭＳ（スパンボンド−メルトブローン−スパンボンド）不織布を使用することが好ましく、ＳＭＳ不織布を使用することがより好ましい。ＳＭＳ不織布は細かい繊維のメルトブローン層を有するため、後述するサイドエンボス２０形成時に、サイドシート１１側からエンボス加工を施しても、バックシート３へのダメージを抑制できるからである。また、ＳＢ不織布及びＳＭＳ不織布は、表面が平滑であるため、サイドシート１１及びバックシート３と異なる材料で形成されていても、ホットメルト接着剤等によって容易に接合することができる。中間層１２には、ポリエチレンテレフタレート、レーヨン等の繊維から形成されるスパンレース不織布を使用することもできる。
【００６８】
図３に、中間層１２の幅方向内縁Ｂ１２を破線で示す。中間層１２の幅方向外縁は、ヒップフラップ部ＨＦに配置されたシール部１０よりも、幅方向内側に位置する。つまり、中間層１２の配置された領域は剛性が高められるため、中間層１２の配置された領域とシール部１０との間で剛性が変化し、折れ返りの起点となりやすい。中間層１２の配置された領域とシール部１０との間で折れ返らせることで、それよりもさらに内側の領域によれが生じることを防止する。
【００６９】
また、ヒップフラップ部ＨＦは、第１フラップ部４１よりも後方に、ヒップフラップ部ＨＦの幅がその前後の領域の幅よりも小さい後方くびれ部３３を備える。
【００７０】
つまり、第１フラップ部４１は、幅が最大となる部分から後方くびれ部３３に向かうにつれて幅が小さくなる。中央領域ＣＡよりも後方の領域が長い吸収性物品は、後方の領域ほど、使用時に幅方向に振れやすい。そのため、ヒップフラップ部ＨＦは、後方からも、ヒップフラップ部ＨＦを変形させようとする力を受ける。そこで、第１フラップ部４１の後方に後方くびれ部３３を配置し、後方からヒップフラップ部ＨＦを変形させようとする力を後方くびれ部３３で吸収することにより、第１フラップ部４１が受ける力を軽減する。
【００７１】
図３に示すように、本体部Ｍの後端部の少なくとも一部には、シール部１０が形成されている。ここで、本体部Ｍの後端部に配置されたシール部１０の幅方向外側端部と、ヒップフラップ部ＨＦにおけるシール部１０の後端部との間に、シール部１０が配置されない非圧搾部Ｘが設けられている。ヒップフラップ部ずれ止め材８及び本体部ずれ止め材６は、非圧搾部Ｘから少なくとも中央領域ＣＡの後端部まで前後方向に延びる領域よりも幅方向外側及び内側にそれぞれ配置される。
【００７２】
非圧搾部Ｘは、隣接するシール部１０よりも剛性が低い。吸収性物品１の使用時、後端部が幅方向に振れて、ヒップフラップ部ＨＦを変形させようとする力が加わった場合に、非圧搾部Ｘがよれの生じる起点となりやすい。また、非圧搾部Ｘから前方に延びる領域は、ヒップフラップ部ずれ止め材８及び本体部ずれ止め材６のいずれも配置されていないため、非圧搾部Ｘを起点として生じたよれが延びやすい。その結果、他の領域によれが生じることを防止することができる。
【００７３】
また、中間層１２の幅方向内縁Ｂ１２に沿って前後方向に延びる直線は、非圧搾部Ｘの幅方向外側端部を通り、吸収体４の外縁に沿って前後方向に延びる直線は、非圧搾部Ｘの幅方向外側端部を通る。
【００７４】
つまり、非圧搾部Ｘから前方に延びる、よれの生じやすい領域と、吸収体も中間層も配置されておらず、剛性の低い領域とが一致する。そのため、この領域は、吸収性物品１の後端部が幅方向に振れた場合にかかる力を吸収し、第１フラップ部４１への影響を抑えることができる。
【００７５】
好ましくは、ヒップフラップ部ＨＦは、厚み方向に圧搾されたサイドエンボス２０を有する。サイドエンボス２０は、サイドシート１１側からエンボス加工を施すことにより、サイドシート１１及びバックシート３が厚み方向に圧縮されている。サイドフラップ部ＳＦが中間層１２を含む場合は、サイドエンボス２０は、サイドシート１１と中間層１２とバックシート３とが厚み方向に圧縮されている。サイドエンボス２０は、ウイング部ＷＧの後端部から後方に延びる第１のエンボス線２１と、第１のエンボス線２１から分岐し、幅方向Ｗ外側に延びる第２のエンボス線２２、第３のエンボス線２３、第４のエンボス線２４を含む。
【００７６】
第２のエンボス線２２、第３のエンボス線２３、第４のエンボス線２４は、後方に向かうにつれて幅方向内側から幅方向外側に延びるように形成されることにより、サイドエンボス２０が力の掛かる方向に沿うため、サイドエンボス２０が折り起点となり、ヒップフラップ部ＨＦが自然と折り畳まれる。よって、ヒップフラップ部ＨＦが身体に対しても、下着に対しても無理なく適合し易くなる。したがって、ヒップフラップ部ＨＦに無秩序な皺が発生し難くなり、違和感のない変形ができ、すっきりした装着感が得られる。
【００７７】
図１に示すサイドエンボス２０は、前方から、第４のエンボス線２４、第３のエンボス線２３、第４のエンボス線２４の順に配置されている。ヒップフラップ部ずれ止め材８は、後方に向かうにつれて幅方向内側から幅方向外側に延びるサイドエンボス２０のうち、最も後方に位置する第４のエンボス線２４よりも後方に位置する。
【００７８】
つまり、中央領域ＣＡからの力がかかった場合に、後方に向かうにつれて幅方向内側から幅方向外側に延びるサイドエンボス２０に沿ってヒップフラップ部ＨＦを折れ返らせることで、後方によれが生じることを防止する。その結果、最も後方に位置する第４のエンボス線２４よりも後方に位置するヒップフラップ部ずれ止め材８による下着への固定状態が維持される。
【００７９】
（吸収性物品の製造方法）
次に、本実施形態に係る吸収性物品１の製造方法の一部について説明する。なお、説明しない方法については、既存の方法を用いることができる。吸収性物品の製造方法は、第１ステップとして、シート生成工程を行う。次いで、第２ステップとして、シート接合工程を行う。具体的には、トップシート２とサイドシート１１とを、例えば熱溶着によって接着する。
【００８０】
第３ステップとして、吸収体成型工程を行う。具体的には、成型ドラムによって吸収体の材料となるパルプを成型して吸収体４を成型する。なお、第１ステップ及び第２ステップのシート生成工程と、第３ステップの吸収体成型工程の順序は、逆の順序であってもよい。
【００８１】
第４ステップにおいて、接合工程を行う。具体的には、第３ステップにおいて成型した吸収体と、第２ステップにおいて接合したトップシート及びサイドシートとを接合する接合工程を行う。
【００８２】
第５ステップにおいて、圧搾溝５の形成工程を行う。具体的には、トップシート２と吸収体４とを厚み方向に圧縮し、圧搾溝５を形成する。ヒップフラップ部ＨＦに中間層１２を設ける場合は、圧搾工程の後に、サイドシート１１の裏面に中間層１２のシートを接合する。接合は、ホットメルト接着剤の塗布により行う。
【００８３】
第６ステップにおいて、バックシート接合工程を行う。具体的には、圧搾溝を形成した吸収体４及びトップシート２と、サイドシート１１と、バックシート３とを、ホットメルト接着剤の塗布により接合する。
【００８４】
第７ステップとして、エンボス加工工程を行う。具体的には、サイドエンボス２０の形成と、シール部１０の形成とを、同時に行う。サイドエンボス２０は、サイドシート１１及びバックシート３を厚み方向に圧縮して形成する。ヒップフラップ部ＨＦが中間層１２を備える場合は、サイドシート１１、中間層１２、及びバックシート３を厚み方向に圧縮してサイドエンボス２０を形成する。シール部１０は、吸収性物品の外縁に沿ってトップシート２、サイドシート１１、及びバックシート３を厚み方向に圧縮して形成する。その後、製品形状の線に合わせて、トップシート２等をカットする。
【００８５】
その後、サイドフラップ部ＳＦを前後方向に沿って折り畳み、サイドフラップ部ＳＦのバックシート３に、ヒップフラップ部ずれ止め材８、ウイング部ずれ止め材９として接着剤を塗布し、吸収性物品１の包装工程を行う。上記の工程により、本実施の形態に係る吸収性物品の製造することができる。
【００８６】
（変形例１）
図６は、本発明の変形例１に係る吸収性物品の、表面側から見た平面図である。なお、以下の変形例の説明において、本実施の形態と同様の構成を有する部分については、同じ符号で表わされるものとし、説明を省略する。
【００８７】
図６に示す吸収性物品１’は、ヒップフラップ部ＨＦにおいて、サイドシート１１とバックシート３との間に、中間層１２に代えて、サイド吸収体４’を備える。図６において、サイド吸収体４’は、吸収体４を幅方向Ｗに延ばすことによって、吸収体４と一体的に形成される。サイドエンボス２０’は、少なくともサイドシート１１とサイド吸収体４’とを圧搾して一体化する。サイドエンボス２０は、サイド吸収体４’が配置された部分にのみ形成されてもよい。
【００８８】
図７は、本発明の変形例２に係る吸収性物品の一部の表面側から見た平面図である。図７に示す吸収性物品は、サイド圧搾部として第２のエンボス線２２及び第３のエンボス線２３を有し、これらのエンボス線は、厚み方向に圧搾された複数の圧搾部によって構成されている。具体的には、第２のエンボス線２２及び第３のエンボス線２３は、複数の点状の圧搾部の集合体によって構成されている。
【００８９】
第２のエンボス線２２及び第３のエンボス線２３が形成されたヒップフラップ部には、サイド吸収体４‘が配置されている。よって、吸収性物品の幅方向中央から幅方向外側に体液が流れた場合に、第２のエンボス線２２及び第３のエンボス線２３によって体液を引き込み、体液が吸収性物品の外縁に到達することを防止できる。更に、第２のエンボス線２２及び第３のエンボス線２３は、外縁圧搾部としてのシール部１０よりも幅方向内側に配置されている。よって、使用者が第２のエンボス線２２及び第３のエンボス線２３を明瞭に視認でき、体液を引き込み可能なエンボス線が吸収性物品の外縁よりも内側に存在していることを認識でき、横漏れが発生し難いという安心感を得ることができる。
【００９０】
また、第２のエンボス線２２及び第３のエンボス線２３は、外縁圧搾部としてのシール部１０と距離を空けて配置されており、第２のエンボス線２２及び第３のエンボス線２３によって引き込んだ体液が、シール部に到達しないように構成されている。よって、第２のエンボス線２２及び第３のエンボス線２３によって引き込んだ体液がシール部１０に到達することによる横漏れを防止できる。
【００９１】
第２のエンボス線２２及び第３のエンボス線２３は、複数の点状の圧搾部の集合体によって構成されており、圧搾部がライン状に連続していない。複数の点状の圧搾部の集合体によれば、ライン状に連続する圧搾部と比較して、圧搾部によってヒップフラップ部が硬くなり過ぎることを抑制できる。よって、ヒップフラップ部が身体のラインに沿って柔軟に変形し易くなり、ヒップフラップをより身体にフィットさせることができる。
【００９２】
第２のエンボス線２２及び第３のエンボス線２３を構成する圧搾部の形状と、シール部を構成する圧搾部の形状とは、異なることが望ましい。なお、圧搾部の外形が異なるとは、円形状と三角形状等、外形の形状が異なる構成のみならず、形状が同じであって大きさが異なる相似形も含む概念である第２のエンボス線２２及び第３のエンボス線２３を構成する圧搾部の形状と、シール部を構成する圧搾部の形状とを異ならせることにより、体液を引き込み可能なエンボス線が吸収性物品の外縁よりも内側に存在していることを認識でき、横漏れが発生し難いという安心感を得ることができる。
【００９３】
第２のエンボス線２２及び第３のエンボス線２３を構成する圧搾部の間隔は、シール部１０を構成する圧搾部の間隔よりも大きいことが望ましい。圧搾部の間隔を大きくすると、圧搾部間に圧搾されていない領域が配置される。圧搾されていない領域は、圧搾されている領域よりも柔らかく肌への刺激が少ない。よって、ヒップフラップ部が身体のラインに沿ってより柔軟に変形し易くなり、ヒップフラップ部をより身体にフィットさせることができる。
【００９４】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９５】
例えば、本実施の形態では、サイドエンボス２０は、線状であるが、例えば、間欠的に配置された複数のドット状の集合体によって構成されていてもよい。
【００９６】
また、本実施の形態では、シール部１０はドット状の集合体として説明したが、これに限定されない。シール部１０は、格子状の集合体又は線状の圧搾部であってもよい。
【００９７】
また、本実施の形態では、トップシート２とサイドシート１１とを別々に設けるものとして記載したが、これに限定されない。トップシートを本体部からサイドフラップ部にまで幅方向に延ばすことにより、トップシートとサイドシートとを一体的に形成することもできる。
【００９８】
また、本実施の形態では、ヒップフラップ部ＨＦのみにサイドエンボス２０を形成するものとして説明したが、これに限定されない。ウイング部ＷＧにもサイドエンボスを形成することにより、着用者の下着への巻き込みを容易にすることもできる。
【００９９】
また、本体部Ｍの幅方向Ｗ両側端部にギャザーを形成してもよい。
【０１００】
また、本実施の形態では、サイドフラップ部ＳＦがウイング部ＷＧを有するものとして説明したが、これに限定されない。サイドフラップ部ＳＦは、ウイング部ＷＧを有さず、ヒップフラップ部ＨＦのみを有してもよい。
【０１０１】
また、本実施の形態では、第２フラップ部４２の前方に第２くびれ部３２を有するものとして説明したが、これに限定されない。例えば、前後方向Ｌの長さが短い吸収性物品においては、第２くびれ部３２を設けず、第２フラップ部４２の前方がウイング部ＷＧの後端部に連なってもよい。
【０１０２】
また、本実施の形態では、ヒップフラップ部ＨＦの幅が最大となる部分が、第１フラップ部４１に１つだけ含まれるものとして説明したが、これに限定されない。例えば、前後方向Ｌの長さが長い吸収性物品においては、第１フラップ部４１にヒップフラップ部ＨＦの幅が最大となる部分を２つ設けることもできる。この場合、ヒップフラップ部ずれ止め材８の前後方向Ｌにおける位置は、ヒップフラップ部ＨＦの幅が最大となる部分のうち後方に位置する部分に位置することが好ましいが、ヒップフラップ部ＨＦの幅が最大となる部分のうち前方に位置する部分に位置してもよい。
【符号の説明】
【０１０３】
Ｌ…前後方向、  Ｗ…幅方向、  Ｍ…本体部、  Ｃ…排泄口当接領域の中心、  ＣＡ…中央領域、  ＳＦ…サイドフラップ部、  ＷＧ…ウイング部、  ＨＦ…ヒップフラップ部、  １…吸収性物品、２…トップシート、  ３…バックシート、  ４…吸収体、  ５…圧搾溝、  ６…本体部ずれ止め材、  ７…剥離テープ、８…ヒップフラップ部ずれ止め材、  ９…ウイング部ずれ止め材、  １０…シール部、  １１…サイドシート、１２…中間層、  ２０…エンボス部、  ２１…第１のエンボス線、  ２２…第２のエンボス線、  ２３…第３のエンボス線、  ２４…第４のエンボス線、  ３１…第１くびれ部、  ３２…第２くびれ部、  ３３…後方くびれ部、  ４１…第１フラップ部、  ４２…第２フラップ部、ＶＬ…仮想線、  Ｘ…非圧搾部
【図１】
2014036832.tif 000003
【図２】
2014036832.tif 000004
【図３】
2014036832.tif 000005
【図４】
2014036832.tif 000006
【図５】
2014036832.tif 000007
【図６】
2014036832.tif 000008
【図７】
2014036832.tif 000009